(57)【要約】      （修正有）【課題】静電気帯電防止及び抗疲労の機能を併せ持つ静電気帯電防止用靴中敷を提供する。【解決手段】上から順に、表布層５、第一層体１、第二層体２、アーチ型インソール３、踵用インソール４が設置される。踵用インソールの弾力性の係数は第一層体より大きく、アーチ型インソールの強度は第一層体より高く、第一層体、第二層体及びアーチ型インソールは、人体の土踏まずと踵の彎曲度と対応する。表布層、第一層体及び第二層体は、静電気帯電防止の機能を有する。【選択図】図２
0003175102.tif 000002
【実用新案登録請求の範囲】
【請求項１】
静電気帯電防止用靴中敷であって、
第一層体と、
前記第一層体の底面に貼付けられる第二層体と、
前記第二層体の底部の凹みに嵌め込まれるアーチ型インソールと、
前記第二層体の踵部分の底部に設置される踵用インソールと、
前記第一層体の表面に重ねて設置される表布層と、
を有し、そのうち、
前記表布層、前記第一層体及び前記第二層体は静電気帯電防止の導電機能を有し、前記第一層体と前記第二層体は、延伸して人体足部の前足部分、土踏まず部分及び踵部分に対応した形を形成し、かつ前記第一層体、前記第二層体及び前記アーチ型インソールは、人体の土踏まずと踵の彎曲度に対応し、足裏から上に延伸し、土踏まず部分から踵部分まで周囲に側翼を有する塵取形（ｄｕｓｔｐａｎ−ｓｈａｐｅｄ）静電気帯電防止用靴中敷を形成することを特徴とする静電気帯電防止用靴中敷。
【請求項２】
前記踵用インソールの弾力係数が前記第一層体より大きく、かつ前記アーチ型インソールの強度が前記第一層体より大きく、前記第一層体の表面の彎曲度が前記第二層体の彎曲度に対応し、前記第一層体の表面が人体の土踏まずの彎曲度に対応することを特徴とする請求項１記載の静電気帯電防止用靴中敷。
【請求項３】
前記表布層が毛細管現象を生じる抗菌導電繊維であり、炭素繊維（ｃａｒｂｏｎ  ｆｉｂｅｒ）、ニッケル鍍金炭素繊維（ｎｉｃｋｅｌ  ｃｏａｔｅｄ  ｇｒａｐｈｉｔｅ）、金属繊維（ｍｅｔａｌ  ｆｉｂｅｒ）及び導電性高分子（ｉｎｔｒｉｎｓｉｃ  ｃｏｎｄｕｃｔｉｖｅ  ｐｏｌｙｍｅｒ）のうち少なくとも一つを有することを特徴とする請求項１記載の静電気帯電防止用靴中敷。
【請求項４】
前記第一層体が導電性を有するＰＵ（ポリウレタン）高密度スポンジであり、かつ前記第一層体が第二層体の彎曲度に相対応し緊密に連携し、更に高いサポート性と快適性を有することを特徴とする請求項１記載の静電気帯電防止用靴中敷。
【請求項５】
前記第二層体の材質がゴム成分及び導電性の高分子材料ＥＶＡ（ｅｔｈｙｌｅｎｅ−ｖｉｎｙｌ  ａｃｅｔａｔｅ  ｃｏｐｏｌｙｍｅｒ)を有し、かつ前記第二層体が前記土踏まず部分にアーチ型インソールを収納する凹部を有することを特徴とする請求項１記載の静電気帯電防止用靴中敷。
【請求項６】
前記第二層体が、前足部分の第二Ａ層体、もしくは土踏まず部分と踵部分の第二Ｂ層体に位置し、かつ前記第二Ａ層体の材質が導電性を有する抗静電気導電ＥＶＡであり、前記第二Ｂ層体の材質が導電性を有しないＥＶＡであることを特徴とする請求項５記載の静電気帯電防止用靴中敷。
【請求項７】
前記第二Ａ層体及び前記第二Ｂ層体が機械的連結により前記第二層体となることを特徴とする請求項６記載の静電気帯電防止用靴中敷。
【請求項８】
前記アーチ型インソールが前記第二層体に嵌め込まれ、前記土踏まず部分の凹部と対応することを特徴とする請求項１記載の静電気帯電防止用靴中敷。
【請求項９】
前記アーチ型インソールが前記第二層体に嵌め込まれ、前記土踏まず部分及び前記踵部分の凹部と対応することを特徴とする請求項１記載の静電気帯電防止用靴中敷。
【請求項１０】
前記アーチ型インソールが孔を有し、それにより前記踵用インソールを前記第二層体に設置することを特徴とする請求項９記載の静電気帯電防止用靴中敷。
【請求項１１】
前記アーチ型インソールの材質がポリアミドの高分子材料であることを特徴とする請求項１記載の静電気帯電防止用靴中敷。
【請求項１２】
前記踵用インソールが前記踵部分に配置され、その材質がウレタン（ｕｒｅｔｈａｎｅｓ）高密度スポンジであり、踵部分に適当な衝撃緩和能力を提供することを特徴とする請求項１記載の静電気帯電防止用靴中敷。
【請求項１３】
前記第二層体が複数個の透過性貫通孔を有し、かつ前記貫通孔が規則的又は不規則に排列されることを特徴とする請求項１記載の静電気帯電防止用靴中敷。
【請求項１４】
前記第二層体の機械的特性が前記貫通孔の幾何学寸法と間隔により定まることを特徴とする請求項１３記載の静電気帯電防止用靴中敷。
【考案の詳細な説明】
【技術分野】
【０００１】
本考案は、静電気帯電防止用靴中敷に関するものであり、特に踵用インソールを有することで、疲労し難く、その他の機能を併せ持つことが可能である静電気帯電防止用靴中敷に関する。
【背景技術】
【０００２】
現代の科学技術は日進月歩であり、各種工業製品の生産は、極めて厳格な規定に従った作業環境下で行う必要がある。その主な原因の一つは、工業生産の過程で、しばしば静電気が各種の様々な作業環境に伴って生じ、もし静電気が除去できず、ひとたび静電気が危険な程度まで蓄積すると、静電気の放電が生じ、製品の不良率の増加を引き起こし、さらには工業上の災害を引き起こすことにある。
【０００３】
このため、各種静電気帯電防止設備とその装置は、現代の精密工場にとって不可欠な製品となっており、その一つが静電気帯電防止靴である。
【０００４】
台湾特許第Ｍ３６１９１７号には、静電気帯電防止靴及び靴底が記載されている。第Ｍ３６１９１８号には、靴用中敷及び前記靴用中敷を有する静電気靴が記載されている。これら静電気帯電防止の静電気靴及び靴用中敷は、その主な機能の多くが静電気帯電防止の効果に重きを置いており、靴自体の快適さを考慮していない。これは一般によく知られた静電気帯電防止靴及び靴用中敷の主な問題点・欠陥である。長時間静電気帯電防止靴を履き続けた作業員にとって、長時間立ち通しの作業による脚部への負担は極めて大きく、人体工学に合わない、設計不良の静電気帯電防止靴又は靴用中敷を履くと、しばしば踵やふくらはぎ、果ては背中の疲れや痛みを引き起こす。
【考案の概要】
【考案が解決しようとする課題】
【０００５】
これら周知の技術的な諸問題を解決するために、本考案者は、多年の研究・開発と多くの実務経験に基づき、静電気帯電防止用靴中敷の一種を提案し、上述の周知の技術上の欠点を改善するとともに、その他長所をも包括するものとした。
【０００６】
本考案の主な目的は、人体にある静電気を足部から容易に静電気帯電防止用靴中敷まで伝え、靴の部品を通過し地面まで伝え、静電気災害の発生を防止することが可能である静電気帯電防止用靴中敷を提供することにある。
【０００７】
本考案の目的の一つは、現在ある静電気帯電防止靴と組み合わせて使用することで、別途人体工学に合致する静電気帯電防止靴を購入する必要なく、足部が長時間受ける疲労を軽減することができる人体工学に合致する静電気帯電防止用靴中敷を提供することにある。
【０００８】
本考案のもう一つの目的は、人体が立ったり歩いたりする過程での衝撃を吸収し、足裏の圧力を軽減し、下半身の骨格又は筋肉群の傷害を防止することができる人体工学に合致する静電気帯電防止用靴中敷及び衝撃を吸収・緩和する機能を有する抗疲労静電気帯電防止用靴中敷を提供することにある。
【０００９】
本考案のさらにもう一つの目的は、層体の孔の大きさ又は間隔を設計することで、硬軟度、強度又は通気性からなる機械的性質を有する静電気帯電防止用靴中敷を提供することにある。
【００１０】
上述の目的を達するため、本考案は、表布層と、第一層体と、第二層体と、アーチ型インソールと、踵用インソールと、を有する静電気帯電防止用靴中敷を提供する。前記表布層は前記第一層体の表面に設置され、前記第二層体は前記第一層体の底部に設置される。前記踵用インソール及びアーチ型インソールは前記第二層体の底部に設置される。前記踵用インソールの弾力係数は前記第一層体より大きく、かつ前記アーチ型インソールの強度は前記第一層体より高く、前記第一層体の表面の彎曲度は前記第二層体の彎曲度と対応している。前記第一層体の表面は人体の土踏まずの彎曲度に合わせたものである。前記表布層、前記第一層体及び前記第二層体は、静電気帯電防止機能を有する。
【００１１】
前記静電気帯電防止用靴中敷は、人体足部の前足部分、土踏まず部分及び踵部分の生物力学の特性に対応したものであり、かつ前記アーチ型インソールは前記第二層体に設置され、前記土踏まず部分に対応したものである。また、様々な土踏まずの形態に対し異なる強度を提供し、抗疲労及び静電気帯電防止機能を併せ持つ静電気帯電防止用靴中敷である。
【００１２】
前述のアーチ型インソールは、実験による分析を通じて人体の土踏まずの彎曲度に合わせることを達成したものであり、人体の土踏まずの彎曲度の統計資料によることで、前記アーチ型インソールの彎曲度を様々な彎曲度に設計することが可能である。
【００１３】
前記表布層は、毛細現象を有する抗菌導電繊維布であり、抗菌導電の機能以外にも、優れた摩擦力、柔軟性、吸汗性、通気性、消臭効果及び感触の良さなどの特性を有する。前記表布層は、炭素繊維（ｃａｒｂｏｎ  ｆｉｂｅｒ）、ニッケル鍍金炭素繊維（ｎｉｃｋｅｌ  ｃｏａｔｅｄ  ｇｒａｐｈｉｔｅ）、金属繊維（ｍｅｔａｌ  ｆｉｂｅｒ）及び導電性高分子（ｉｎｔｒｉｎｓｉｃ  ｃｏｎｄｕｃｔｉｖｅ  ｐｏｌｙｍｅｒ）のうち少なくとも一つを有する。
【００１４】
前記第一層体は、導電性を有するＰＵ(ポリウレタン)高密度スポンジであり、かつ前記第一層体は、前記第二層体の彎曲度と互いに対応し密合することで、更なるサポート性と快適性を提供する。
【００１５】
前記第二層体の材質は、ゴム成分及び導電性の高分子材料ＥＶＡ（ｅｔｈｙｌｅｎｅ−ｖｉｎｙｌ  ａｃｅｔａｔｅ  ｃｏｐｏｌｙｍｅｒ、エチレン酢酸ビニル共重合体)を含む。また、前記第二層体は、前足部分に位置する第二Ａ層体及び土踏まず部分と踵部分に位置する第二Ｂ層体を含む。前記第二Ａ層体の材質は、導電性を有する抗静電気導電ＥＶＡであり、前記第二Ｂ層体の材質は、導電性を有しないＥＶＡである。また、前記第二Ａ層体及び前記第二Ｂ層体は、機械的連結により前記第二層体となる。
【００１６】
前記踵用インソールは、前記踵部分に配置され、その材質はウレタン（ｕｒｅｔｈａｎｅｓ）高密度スポンジであり、踵部分に適当な衝撃緩和能力を提供し、長時間立通しの仕事をしたり歩いたりしたとき踵に感じる疲労感を軽減することが可能である。
【００１７】
周知の技術と比べ、本考案の静電気帯電防止用靴中敷は、人体工学に合致したものであり、周知の技術である静電気帯電防止靴と静電気帯電防止用靴中敷が人体工学に合致せず、人体の土踏まずの個体差を考量しないものであるために引き起こす、足部・腿部などの不快感や疲労し易いなどの多くの諸問題を解決するものである。したがって、本考案の、導電性の第一層体、第二層体及びアーチ型インソールと踵用インソールなどを有する静電気帯電防止用靴中敷により、静電気帯電防止、抗疲労の目的を達成することが可能である。
【図面の簡単な説明】
【００１８】
【図１】本考案の静電気帯電防止用靴中敷の実施例を示す説明図である。
【図２】図１のＩ−Ｉ断面を示す断面図である。
【図３】図１のＩＩ−ＩＩ断面を示す断面図である。
【図４】本考案の静電気帯電防止用靴中敷の実施例を示す説明図である。
【図５】本考案の静電気帯電防止用靴中敷の別の実施例を示す説明図である。
【図６】本考案の静電気帯電防止用靴中敷を示す立体説明図である。
【図７】本考案の静電気帯電防止用靴中敷の第二層体を示す局部説明図である。
【図８】図７のＩＩＩ−ＩＩＩ断面を示す断面図である。
【考案を実施するための形態】
【００１９】
当業者に本考案の目的、特徴及び効果を理解して頂くために、具体的な実施例と図面を用いて詳細な説明を行う。
【実施例】
【００２０】
図１は、本考案の静電気帯電防止用靴中敷の実施例を示す説明図である。図２は、図１のＩ−Ｉ断面を示す断面図である。図３は、図１のＩＩ−ＩＩ断面を示す断面図である。図４は、本考案の静電気帯電防止用靴中敷の実施例を示す説明図である。図５は、本考案の静電気帯電防止用靴中敷の別の実施例を示す説明図である。
【００２１】
本考案の静電気帯電防止用靴中敷１００は、第一層体１と、第二層体２と、アーチ型インソール３と、踵用インソール４と、表布層５と、を有する。
【００２２】
表布層５は、第一層体１の表面に重ねて設置され、第二層体２は、第一層体１の底面に貼付され、踵用インソール４及びアーチ型インソール３は、第二層体２底部の凹部２１内に設置される。踵用インソール４は、踵部分１０３の底部にある第二層体２
に設置される。そのうち、踵用インソール４の弾力性の係数は、第一層体１より大きく、かつアーチ型インソール３の強度は第一層体１より大きい。第一層体１の表面の彎曲度は、第二層体２の彎曲度と対応しており、第一層体１の表面は人体の土踏まずの彎曲度と対応している。表布層５、第一層体１及び第二層体２は、静電気帯電防止の導電機能を有している。
【００２３】
静電気帯電防止用靴中敷１００は、人体足部の前足部分１０１、土踏まず部分１０２及び踵部分１０３の生物力学の特性と対応している。また、前記アーチ型インソール３は、前記第二層体２の下に設置され、前記土踏まず部分１０２と対応し、かつ様々な土踏まず型態について様々な強度分布を提供する。これにより、抗疲労及び静電気帯電防止機能を併せ持つ静電気帯電防止用靴中敷１００となる。
【００２４】
前記表布層５は、毛細現象を有する抗菌導電繊維布であり、抗菌導電機能を有するほか、優れた摩擦性、柔軟性、吸汗性、通気性、消臭性及び接触性などの特性を有する。前記表布層５は、炭素繊維（ｃａｒｂｏｎ  ｆｉｂｅｒ）、ニッケル鍍金炭素繊維（ｎｉｃｋｅｌ  ｃｏａｔｅｄ  ｇｒａｐｈｉｔｅ）、金属繊維（ｍｅｔａｌ  ｆｉｂｅｒ）及び導電性高分子（ｉｎｔｒｉｎｓｉｃ  ｃｏｎｄｕｃｔｉｖｅ  ｐｏｌｙｍｅｒ）のうち少なくとも一つを有する。
【００２５】
第一層体１は、導電性のＰＵ(ポリウレタン)高密度スポンジを有し、かつ第一層体１は、第二層体２の彎曲度と互いに対応し、密合することで、更なるサポート性と快適性を提供する。
【００２６】
第二層体２の材質は、ゴム成分及び導電性の高分子材料ＥＶＡ（ｅｔｈｙｌｅｎｅ−ｖｉｎｙｌ  ａｃｅｔａｔｅ  ｃｏｐｏｌｙｍｅｒ、エチレン酢酸ビニル共重合体)であり、前記アーチ型インソール３を収納する凹部２１を有する。また、第二層体２は、前足部分１０１の第二Ａ層体２ａ及びアーチ部分１０２と踵部分１０３の第二Ｂ層体２ｂのそれぞれに位置づけられるものを含む。第二Ａ層体２ａは導電性を有する抗静電気導電ＥＶＡ材質であり、第二Ｂ層体２ｂは導電性を有しないＥＶＡ材質である。また、第二Ａ層体２ａ及び第二Ｂ層体２ｂは、機械的連結により第二層体２となる。
【００２７】
アーチ型インソール３の材質は、ポリアミド高分子の材料であり、Ｐｏｌｙａｍｉｄｅ６又はＰｏｌｙａｍｉｄｅ６６は比較的これに適している。実験統計分析の方法により人体の土踏まずの彎曲度に合わせるという目的を達成し、統計による人体の土踏まずの彎曲度の資料に基づき、アーチ型インソール３の彎曲度を数種類の様々な彎曲度に設計することができる。本実施例において、アーチ型インソール３は第二層体２に静電気帯電防止用靴中敷１００アーチ部分１０２の凹部２１と対応するように嵌め込まれる。
【００２８】
さらに本実施例のうち、アーチ型インソール３は第二層体２にアーチ部分１０２及び踵部分１０３の凹部２１を包括する静電気帯電防止用靴中敷１００と対応するように嵌め込まれ、かつアーチ型インソール３は踵部分１０３に孔(図５を参照)を有し、これにより踵用インソール４を第二層体２に設置・収納する。
【００２９】
踵用インソール４は踵部分１０３に配置され、その材質はウレタン（ｕｒｅｔｈａｎｅｓ）高密度スポンジであり、踵部分１０３に適当な衝撃緩和能力を提供し、長時間立通しの仕事或いは歩行後の踵の疲労感を軽減する。
【００３０】
図６は、本考案の静電気帯電防止用靴中敷を示す立体説明図である。本考案の静電気帯電防止用靴中敷１００は、アーチ部分１０２から踵部分１０３までの周囲に側翼１０７を有する。これにより、静電気帯電防止用靴中敷１００は塵取形（ｄｕｓｔｐａｎ−ｓｈａｐｅｄ）の静電気帯電防止用靴中敷１００となる。側翼１０７は、第一層体１、第二層体２及びアーチ型インソール３を人体の土踏まずと踵の彎曲度に合わせて足裏から上へ伸びる形に形成することで、側翼１０７により足部両側面をサポートし、足を挫く確率を減少させ、抗疲労の特性をも有することができる。
【００３１】
図７は、本考案の静電気帯電防止用靴中敷の第二層体を示す局部説明図である。図８は、図７のＩＩＩ−ＩＩＩ断面を示す断面図である。
【００３２】
第二層体２の底面には、貫通した複数個の貫通孔２２があり、貫通孔２２は、規則的に排列しても不規則に排列してもよい。さらに、複数の貫通孔２２の幾何学寸法Ｗ１は、同じであっても違ってもよく、また、これらの貫通孔２２の間の間隔Ｐ１についても同様である。
【００３３】
第二層体２の貫通孔２２の幾何学寸法Ｗ１が大きくなり又は間隔Ｐ１が狭くなったときは、第二層体２は軟らかくなり、もしくは強度が低くなる。これに対し、第二層体２の貫通孔２２の幾何学寸法Ｗ１が小さくなり又は間隔Ｐ１が大きくなったときは、第二層体２は硬くなり、もしくはその強度が高くなる。また、これらの貫通孔２２の幾何学寸法Ｗ１と間隔Ｐ１が異なる排列の組み合わせによる設計の変化を通じて、第二層体２を人体工学と合致する硬軟度、強度又は通気性などの機械的特性に調整することができる。また、これにより本考案である静電気帯電防止用靴中敷の一種１００の強度分布などの機械的特性を調整することができる。
【００３４】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００３５】
１００      静電気帯電防止用靴中敷
１０１      前足部分
１０２      土踏まず部分
１０３      踵部分
１０７      側翼
１      第一層体
２      第二層体
２ａ      第二Ａ層体
２ｂ      第二Ｂ層体
２１      凹部
２２      貫通孔
３      アーチ型インソール
４      踵用インソール
５      表布層
Ｗ１      幾何学寸法
Ｐ１      間隔
【図１】
0003175102.tif 000003
【図２】
0003175102.tif 000004
【図３】
0003175102.tif 000005
【図４】
0003175102.tif 000006
【図５】
0003175102.tif 000007
【図６】
0003175102.tif 000008
【図７】
0003175102.tif 000009
【図８】
0003175102.tif 000010